(57)【要約】【課題】  曲面や変形した面への取付けと取外しを容易にし、さらには、移動先の取付け面の形状や状態に対応しやすい吸音パネルを提供する。【解決手段】  パネルの基本構成は基板１・枠材２・吸音効果のある充填材３・表面材４の組合わせとする。曲面や変形した面への設置、および、自由な形状を可能にするため、各々の材には軽量かつ柔軟性にすぐれ、加工性の良い、変形可能な部材を使用する。また、移動や交換を簡易にするため、裏面または側面、および設置する面に、脱着可能な取付け部材を設置する。また、自由なデザインを可能とするために、表面材は素材選定の範囲を広げ、必要に応じて、着色や印刷をする。さらに吸音効果に加え、室内における空気環境の改善効果のある素材を使用または付加する。【選択図】      図１
0003167362.tif 000002
【実用新案登録請求の範囲】
【請求項１】
基板と、その基板に固着する枠を設け、その枠の内側に吸音効果のある充填材を埋め込み、表面材で覆って成るものであり、それぞれの部材は加工性が良く、軽量かつ柔軟性に優れた部材で作成したことを特徴とする吸音パネル。
【請求項２】
裏側または側面に、脱着可能な取付け部材を使用することを特徴とする請求項１に記載の吸音パネル。
【請求項３】
前記充填材または前記表面材に室内の空気環境の改善効果のある素材を使用または付加したことを特徴とする請求項１または請求項２に記載の吸音パネル。
【請求項４】
前記表面材に着色や印刷を可能とした部材を使用したことを特徴とする請求項１〜３のいずれか一項に記載の吸音パネル。
【請求項５】
前記基板は、二次曲面に設置可能に変形する矩形状の合板からなり、
前記枠は、前記合板表面の四方に固着される断面矩形状の発泡系ウレタン材からなり、
前記充填材は、前記発泡系ウレタン材の内側に充填されるグラスウールを備える所定の吸音材からなり、
前記表面材は、前記発泡系ウレタン材と前記吸音材とを覆う伸縮性を有する所定の布からなるとともに、所定の固定部材によって該吸音パネル側面又は前記合板裏面において固定されることを特徴とする請求項１〜４のいずれか一項に記載の吸音パネル。
【請求項６】
該吸音パネルの下部に脚を設け自立可能に形成したことを特徴とする請求項１〜５のいずれか一項に記載の吸音パネル。
【請求項７】
複数の該吸音パネルを連結し自立可能に形成したことを特徴とする請求項１〜６のいずれか一項に記載の吸音パネル。
【考案の詳細な説明】
【技術分野】
【０００１】
本発明は、おもに建築用の内装材として壁面や天井面に設置される吸音パネルに関するものである。
【背景技術】
【０００２】
従来の吸音パネルは、平面への設置を対象としているため、曲面や変形した面への取付けや設置が困難であった。
【０００３】
従来の吸音パネルは、変形や加工が困難であった。よって、取付ける面の形状や状態に合わせた変形や加工、および、穴をあけることが難しく、設置する場所に制限を受けた。
【０００４】
従来の吸音パネルは、重量が重く、取付ける面には下地補強が必要であった。よって、壁面や天井面に固定する場合が多く、取外しや移動が困難であった。そのため、吸音パネルの移動よる音響調整や、改築、改装、部屋の模様替えは容易でなく、特に仮設的な設置には適さなかった。
【０００５】
従来の吸音パネルの設置工事には、建築的な専門技術が必要とされ、施工時間もかかることから、設置費用が高価であった。よって、音楽ホールや録音スタジオのような特定の建物には利用されていたが、それ以外の建物、特に一般住宅への利用には適さなかった。
【０００６】
従来の吸音パネルは、吸音効果のみを目的としていた。しかしながら、室内における吸音パネルのしめる面積割合は比較的大きいことから考えると、その効果や機能が単一的であると、建築の内装材としは不十分である。
【０００７】
従来の吸音パネルは、形状や表面の仕上げ材が均一化され、デザインも限られていた。よって、インテリア部材としての使用は適当でなく、特に店舗や一般住宅への利用には適さなかった。
【考案の概要】
【考案が解決しようとする課題】
【０００８】
上記のように、従来の吸音パネルは、曲面や変形した面への設置が困難であり、加工や変形、穴をあけることも容易でなかった。また、取外しや移動も容易でなかった。しかしながら、実際には、曲面や変形した面への設置が必要となる場合や、穴をあけることが必要となる場合もある。また、音楽ホールや録音スタジオ、また、一般住宅におけるオーディオルームでは、吸音パネルの移動による音響調整が必要とされる。そこで、本発明は、取付けと取外しを容易にし、さらには、移動先の取付け面の形状や状態に対応しやすい吸音パネルを目的とする。
【０００９】
従来の吸音パネルは、施工性・加工性が悪く、また、製作費や施工費も高価であるため、建築の内装材としては、音楽ホールや録音スタジオのような特定の建築に利用され、それ以外の建物への利用度は低かった。しかしながら、現在の一般建築物における室内の音環境は、従来に比べると不快な反響や残響が多く、音に対しての快適な居住空間が得られなくなってきた。そこで本発明は、このような場合の音響対策として、吸音パネルは比較的効果の高い内装材であることから、一般住宅や事務所、店舗、医療福祉施設、仮設建築への利用に適するよう、上記の問題を解決することを目的とした。
【００１０】
また、従来の吸音パネルは、音響用部材として扱われ、専門性の高い内装部材であった。よって特定の室内に利用されることが多く、一般的な居住空間で利用される機会は少なかった。そこで、本発明は、一般住宅や事務所、店舗、医療福祉施設のような一般的な居住空間においても利用しやすくなるよう、吸音効果に加え、室内の空気環境の改善効果のある素材を使用または付加させた多機能的な吸音パネルを目的とした。
【００１１】
さらに、従来の吸音パネルは、形状や表面のデザインも均一化されていたため、インテリア部材としては、適当でなかった。そこで、本発明では、一般住宅や事務所、店舗、医療福祉施設のような一般的な居住空間におけるインテリア部材としても使用できるように、自由な形状が可能となり、また、表面に自由な着色や印刷が可能となる、デザイン性のある吸音パネルを目的とした。
【課題を解決するための手段】
【００１２】
本発明にかかる吸音パネルは基板・枠材・充填材・表面材の組合わせで構成する。各々の部材は、軽量かつ柔軟性にすぐれ、加工性の良い、変形可能な部材を使用する。また、製作はできるかぎり単純な工程とする。
【００１３】
製作方法は、基板をベースとし、その基板に接して枠材を固着する。枠材は吸音パネルに強度を持たせ、歪みを防ぐために用いる。枠材の内側には、吸音効果があり、かつ、設置する面の状態や施工条件に合わせた充填材を埋め込み、表面材で覆う。
【００１４】
表面材についても、吸音効果があり、かつ、室内の装飾に合わせた素材を選定する。また、必要に応じて着色や印刷が可能な表面材を用い、自由なデザインを施す。
【００１５】
さらに、充填材や表面材に、室内の空気環境の改善効果のある素材を使用または付加させることにより、吸音効果と合わせた複合的な効果や機能をもつ。
【００１６】
構成する各々の部材は、加工性が良いため、自由な形状が可能となり、容易に穴をあけることが可能となる。
【００１７】
本発明における吸音パネルの設置場所は、壁面や天井面を対象とする。その際、取外しや移動を容易にするため、基板の裏側または側面に、脱着可能な取付け部材を設置する。また、設置する壁面や天井面にも受け部材として、同様な脱着可能な取付け部材を設置する。脱着可能な取付け部材または受け部材の設置方法もできるかぎり簡易的な工法とする。
【考案の効果】
【００１８】
以上詳述したように、本発明によれば、おもに建築の内装部材として、曲面や変形した面に設置することが可能な吸音パネルができる。さらには、取付ける面の形状や状態に合わせ、加工や、穴をあけることが容易になるため、設置場所の諸条件に対応しやすい吸音パネルができる。
【００１９】
また、専門的な技術がなくても設置・取外し・移動が可能になる。よって、音楽ホールや録音スタジオ、また、一般住宅におけるオーディオルームでも、容易に音響調整が可能になる。さらに、改築や改装、室内の配置移動や模様替えにも対応しやすいため、一般の住宅や店舗、仮設建築物や仮設ステージにも利用しやすくなる。
【００２０】
また、本発明の吸音パネルは、加工性が良い部材で構成することから、自由な形状が可能とる。さらに、表面材の選定範囲が広く、表面材に自由な着色や印刷が可能になることから、デザイン性が向上し、吸音機能をもつインテリア部材としても利用できる。さらに、充填材や表面材に、室内の空気環境の改善効果のある素材を使用または付加させることにより、吸音効果を合わせ持つ多機能パネルとなる。よって、音楽ホールや録音スタジオのような専門的な利用に加え、一般の居住空間においても、反響や残響の軽減を目的とした利用範囲の広い吸音パネルとなる。
【００２１】
また、本発明における吸音パネルは、基板・枠・充填材・表面材の単純な組合わせからなるため、製作も簡単で、製作工程も短くなる。また、施工自体も容易になるため、費用は安価となる。よって、音楽ホールや録音スタジオのような専門性の高い室内への利用に加えて、一般の建築の内装材としても利用範囲が広がる。
【図面の簡単な説明】
【００２２】
【図１】本発明の実施の形態にかかる吸音パネルの分解斜視図である。
【図２】本発明の実施の形態にかかる吸音パネルの正面図である。
【図３】本発明の実施の形態にかかる吸音パネルの背面図である。
【図４】本発明の実施の形態にかかる吸音パネルの側面図である。
【図５】本発明の実施の形態にかかる吸音パネルの内部正面図である。
【図６】本発明の実施の形態にかかる吸音パネルのＡ−Ａ線断面図である。
【図７】本発明の実施の形態にかかる吸音パネルの取付図である。
【考案を実施するための形態】
【００２３】
以下、本発明における吸音パネルの実施形態を図１から図７に基づいて説明する。
【００２４】
基板１には、吸音効果や設置する場所の状態、施工条件を考慮し、軽量かつ柔軟性にすぐれ、加工性の良い、変形可能な部材を選定する。たとえば、曲面に対応できる合板、プラスチック板、または、発泡系ウレタン材のような板状の部材を使用する。また、枠材２も同様に、軽量かつ柔軟性にすぐれ、加工性の良い、変形可能な部材を選定する。たとえば、木材、プラスチック材、発泡系ウレタン材、または、アルミ材のような枠材に適した形状に加工ができる部材を使用する。
【００２５】
枠材２は、基板１に固着させ、強度を持たせ、歪みを防止する。固着方法としは、たとえば、接着材または釘やビスのような一般的な固着用部材を使用する。
【００２６】
充填材３には、設置する面の状態や施工条件を考慮し、たとえば、綿、布、化学繊維、グラスウール、羊毛系断熱材、または、木質系繊維材のような吸音効果のある素材を用い、枠材２の内側に充填する。
【００２７】
表面材４は、基板１、枠材２、充填材３を覆いやすく、また、破損しにくい素材を選定する。たとえば、綿、麻、絹、化学繊維、皮、または、紙のような素材を使用する。表面材４は、吸音効果や室内装飾に合わせ、素材をそのまま使用する場合や、素材に適した塗料で着色や印刷を行う。たとえば、綿製のキャンパス生地を使用した場合には、油やアクリル系の絵具を用い絵画を描く。また、印刷可能な素材を使用する場合には、専用の印刷機にてイラストやカレンダーを印刷する。
【００２８】
表面材４は表面から裏側にかけて覆い、側面または裏面で、固定部材６を用い固定する。たとえば、両面テープ、ステープル、または、タッカーのような固定材や固定用具を使用する。たとえば、図３に示すとおり、表面材４を表面から裏側まで巻き込み、表面材４が弛まないように、程度な間隔をとりタッカーで固定する。
【００２９】
充填材３、または、表面材４には、必要に応じて、室内における空気環境の改善効果のある素材を使用または付加する。たとえば、充填材３には炭のような調湿効果のある素材を組み込む。その場合、表面材４には通気性の良い素材を選定する。また、表面材４にマイナスイオンを発散する素材や、消臭効果のある素材を組み込んだ繊維を利用する。
【００３０】
取付ける壁面の状態によっては、加工や穴あけが必要となる場合がある。たとえば、取付ける壁面にコンセントや照明器具、または、非常警報設備などがある場合には、その位地に合わせて、切り込み加工を施し、また、その大きさに合わせて穴あけを行う。
【００３１】
また、室内のインテリア部材としての効果をより高める場合は、必要に応じて吸音パネルを変形させる。たとえば、円形や三角形、または、星型のように矩形以外の形に加工する。
【００３２】
壁面や天井面に設置し、取外しや移動が可能なパネルとする場合は、図３に示すとおり、基板１の裏側に脱着可能な取付け部材５を設置する。取付け部材５の数量や間隔は、吸音パネルの重量や取付ける面の状態、または、取付け部材５の吸着能力による。また、吸音パネルを設置する壁面や天井面には、図７に示すような、受け材となる脱着可能な受け部材７を設置する。取付け部材５、または、受け部材７としては、たとえば、マジックテープ（登録商標）や両面テープのような脱着が容易な部材を利用する。
【００３３】
取付け部材５の基板への固着方法としては、吸音パネルの重量を考慮のうえ、たとえば、接着材、釘、ビス、またはタッカーのような固着性の良い固定材や固定用具を使用する。また、受け部材７の壁面または天井面への設置方法としては、吸音パネルの重量や取付ける面の状態を考慮のうえ、たとえば、釘、ビス、または、タッカーのような固定材や固定用具を使用する。その場合、受け部材７の撤去あとの壁面または天井面の補修が可能な部材であることも考慮し選定する。
【００３４】
上記以外の設置方法として、上部から吊り下げる方法がある。その場合の構造は、枠材３の上部に引っ掛け用の部材、たとえば、フックのような部材を取付け、天井面より、たとえば、ワイヤー、ロープ、針金のような紐状の部材で吊り下げる。また、振れを防ぐため、側面や下部にも同様の引っ掛け用の部材を取付け、壁面や床面より、たとえば、ワイヤー、ロープ、針金のような紐状の部材で固定する。
【００３５】
また、簡易的な設置方法としては、直接床に置く場合がある。その場合の構造は、吸音パネルを２組以上、蝶番で連結させ屏風状にする。また、単体で独立させる場合は、下部に補助的な脚を設けるか、または、吸音パネル自体をバランスよく屈折または湾曲させ自立させる。
【００３６】
［実施例１］
録音スタジオまたはオーディオルームにおける二次曲面の壁面に設置する場合の例を図７に示す。各々の部材は、二次曲面に対応できる部材とし、取付け部材は、設置後の吸音パネルの脱着を可能とした部材を使用した。
【００３７】
基板１には、二次曲面対応用の合板９００ｍｍ×９００ｍｍ×４ｍｍを使用する。枠材２には、発泡系ウレタンを断面３０ｍｍ×３０ｍｍに加工し、基板１の四方に接着材で固定する。充填材３には、グラスウール厚さ３０ｍｍを使用し、枠材２の内側に充填する。表面材４には伸縮する綿製の布を使用し、枠材２および基板１の裏側まで包み込み、基板１の裏側でタッカーにて固定する。
【００３８】
脱着を可能とする為、基板１の裏側に脱着可能な取付け部材５として、５０ｍｍ×５０ｍｍのマジックテープ（登録商標）をタッカーで固定する。また、設置する壁面には、受け部材７としてマジックテープ（登録商標）をタッカーまたは接着剤で固定し、吸音パネルを設置する。
【産業上の利用可能性】
【００３９】
本考案は、建築用の内装材として壁面や天井面に設置される吸音パネルに広く利用することができる。
【符号の説明】
【００４０】
１  基板
２  枠
３  充填材
４  表面材
５  取付け部材
６  固定部材
７  受け部材 
【図１】
0003167362.tif 000003
【図２】
0003167362.tif 000004
【図３】
0003167362.tif 000005
【図４】
0003167362.tif 000006
【図５】
0003167362.tif 000007
【図６】
0003167362.tif 000008
【図７】
0003167362.tif 000009
【手続補正書】
【提出日】平成23年2月21日(2011.2.21)
【手続補正１】
【補正対象書類名】実用新案登録請求の範囲
【補正対象項目名】全文
【補正方法】変更
【補正の内容】
【実用新案登録請求の範囲】
【請求項１】
曲面に設置可能に変形する所定の板状部材からなる基板と、
前記基板の周縁に固着され、前記基板の変形に対応して変形可能な所定の部材からなる枠と、
前記枠の内側に充填され、吸音性を有する所定の吸音材からなる充填材と、
前記充填材及び前記枠を覆い、伸縮性を有する所定の部材からなる表面材と、を備えることを特徴とする吸音パネル。
【請求項２】
該吸音パネルを設置面に対して脱着可能に係止させる所定の取付け部材を備えることを特徴とする請求項１に記載の吸音パネル。
【請求項３】
前記充填材又は前記表面材に調湿性及び／又は消臭性を有する所定の素材を付加したことを特徴とする請求項１または請求項２に記載の吸音パネル。
【請求項４】
前記表面材は、着色又は印刷可能な部材からなることを特徴とする請求項１〜３のいずれか一項に記載の吸音パネル。
【請求項５】
前記基板は、二次曲面に設置可能に変形する合板又はプラスチック板からなり、
前記枠は、前記合板又はプラスチック板の表面に固着される断面矩形状の発泡系ウレタン材からなり、
前記充填材は、前記発泡系ウレタン材の内側に充填されるグラスウールからなり、
前記表面材は、前記発泡系ウレタン材と前記グラスウールとを覆う伸縮性を有する所定の布からなるとともに、所定の固定部材によって該吸音パネル側面又は前記合板又はプラスチック板の裏面において固定されることを特徴とする請求項１〜４のいずれか一項に記載の吸音パネル。
【請求項６】
該吸音パネルの下部に脚を設け自立可能に形成したことを特徴とする請求項１〜５のいずれか一項に記載の吸音パネル。
【請求項７】
複数の該吸音パネルを連結し自立可能に形成したことを特徴とする請求項１〜６のいずれか一項に記載の吸音パネル。